(57)【要約】【課題】ドライバーなどの回転工具を使用せずに簡単かつ的確に扉に取付けることができる扉用ロックハンドル装置を提供する。【解決手段】固定本体１の上部背面に軸筒部２を突出形成し、下部背面にロック収容筒部２２の受入れ用筒部４０を突出形成し、軸筒部２の左右両側面部に係止溝４１，４１を形成し、受入れ用筒部４０の左右両側面部に係止溝４２，４２を形成する。前記係止溝４１，４１と前記係止溝４２，４２に個別に差し込まれる弾性クリップ板３０を、係止溝４１，４２の後位側の溝壁面４３，４４に圧接する一対の脚板部３４，３４と、脚板部３４，３４の根元部同士を連結して扉２７の背面２７ｂに圧接するＶ字状の支点板部４５と、支点板部４５に連続形成された指掛け板部３１と、脚板部３４，３４の各先端部に連続形成され、扉２７の背面２７ｂに圧接するＶ字状の先導板部３３，３３とで構成する。【選択図】図２
2008133587.tif 000002
【特許請求の範囲】
【請求項１】
出没回転可能にハンドル４を固定ケース１に収容し、前記固定ケース１の本体部分を扉２７の取付用開口３２に正面側から嵌め込んで、前記固定ケース１の前面鍔部４７を前記扉２７の前面２７ａに突き当て、背面側から前記固定ケース１に嵌めた弾性クリップ板３０を前記扉２７の背面２７ｂに突き当てることによって、前記固定ケース１を前記扉２７に取付けるようにした扉用ロックハンドル装置において、
前記固定本体１の上部背面に軸筒部２を突出形成し、前記固定本体の下部背面にハンドル４のロック収容筒部２２の受入れ用筒部４０を突出形成し、前記軸筒部２の左右両側面部に前記固定ケース１の背面１ａと平行な係止溝４１，４１を前記取付用開口３２から抜き出た部位に凹み形成し、前記受入れ用筒部４０の左右両側面部に前記固定ケース１の背面１ａと平行な係止溝４２，４２を前記取付用開口３２から抜き出た部位に凹み形成し、
前記軸筒部２の前記係止溝４１，４１と前記受入れ筒部４０の前記係止溝４２，４２に個別に差し込まれる弾性クリップ板３０を、
前記係止溝４１，４２の後位側の溝壁面４３，４４に圧接する一対の脚板部３４，３４と、前記脚板部３４，３４の根元部同士を連結して前記扉２７の背面２７ｂに圧接するＶ字状の支点板部４５と、前記支点板部４５に連続形成された指掛け板部３１と、前記脚板部３４，３４の各先端部に連続形成され、前記扉２７の背面２７ｂに圧接するＶ字状の先導板部３３，３３とで構成し、前記先導板部３３，３３の根元部に前記係止溝４１，４２の端縁部に係合する掛止肩部４６，４６を形成したことを特徴とする扉用ロックハンドル装置。
【発明の詳細な説明】
【技術分野】
【０００１】
本発明は配電盤や自動販売機等に使用され、平常時の施錠状態ではハンドルが固定ケース内に収納されており、所定の起動操作によってハンドルが固定ケースから突出回転する扉用ロックハンドル装置に関するものである。
【背景技術】
【０００２】
従来の扉用ロックハンドル装置では、 出没回転可能にハンドルを固定ケースに収容し、前記固定ケースの本体部分を扉の取付用開口に正面側から嵌め込んで、前記固定ケースの前面鍔部を前記扉の前面に突き当て、背面側から前記固定ケースの本体部分に嵌めた断面Ｕ字形の座金板を前記扉の背面に突き当て、前記座金板の透孔からビスをドライバーなどの回転工具により前記固定ケースの背面壁部の固着孔にねじ込むことによって、前記固定ケースを前記扉に締付け固着する取付機構を採用しており、前記座金板の左右一対の側壁板部の内側面に半球状に突出形成した突起部よりなる第１係止部を設け、前記固定ケースの本体部分の左右外側面に矩形状の凹部よりなる第２係止部を設け、前記第２係止部の底面積を前記第１係止部の底面積よりも広く形成し、前記第１係止部の頂点部を前記第２係止部の底面部の任意の部位に突き当てた状態で前記第１形支部と前記第２係止部を弾性係合させて、前記座金板を前記固定ケースの本体部分に取付け保持するようにしている。
しかしながら、ビスをドライバーなどの回転工具によって回す作業があるので、扉への固定ケースの取付作業が面倒であり、また、ビスの締付けが不十分なときは、固定ケースがぐらついてしまうことがある。
【０００３】
【特許文献１】特許第３３７３４５８号公報
【発明の開示】
【発明が解決しようとする課題】
【０００４】
本発明の課題は、ドライバーなどの回転工具を使用せずに簡単かつ的確に固定本体を扉に取付けることができる扉用ロックハンドル装置を提供することである。
【課題を解決するための手段】
【０００５】
本発明の主たる特徴は、出没回転可能にハンドル４を固定ケース１に収容し、前記固定ケース１の本体部分を扉２７の取付用開口３２に正面側から嵌め込んで、前記固定ケース１の前面鍔部４７を前記扉２７の前面２７ａに突き当て、背面側から前記固定ケース１に嵌めた弾性クリップ板３０を前記扉２７の背面２７ｂに突き当てることによって、前記固定ケース１を前記扉２７に取付けるようにした扉用ロックハンドル装置において、
前記固定本体１の上部背面に軸筒部２を突出形成し、前記固定本体の下部背面にハンドル４のロック収容筒部２２の受入れ用筒部４０を突出形成し、前記軸筒部２の左右両側面部に前記固定ケース１の背面１ａと平行な係止溝４１，４１を前記取付用開口３２から抜き出た部位に凹み形成し、前記受入れ用筒部４０の左右両側面部に前記固定ケース１の背面１ａと平行な係止溝４２，４２を前記取付用開口３２から抜き出た部位に凹み形成し、
前記軸筒部２の前記係止溝４１，４１と前記受入れ筒部４０の前記係止溝４２，４２に個別に差し込まれる弾性クリップ板３０を、
前記係止溝４１，４２の後位側の溝壁面４３，４４に圧接する一対の脚板部３４，３４と、前記脚板部３４，３４の根元部同士を連結して前記扉２７の背面２７ｂに圧接するＶ字状の支点板部４５と、前記支点板部４５に連続形成された指掛け板部３１と、前記脚板部３４，３４の各先端部に連続形成され、前記扉２７の背面２７ｂに圧接するＶ字状の先導板部３３，３３とで構成し、前記先導板部３３，３３の根元部に前記係止溝４１，４２の端縁部に係合する掛止肩部４６，４６を形成したことである。
【発明の効果】
【０００６】
本発明の扉用ロックハンドル装置では、固定ケース１の前面鍔部４７が扉２７の前面２７ａに突き当たるまで、固定ケース１の本体部分を扉２７の取付用開口３２に正面側から嵌め込んだ後、扉２の背面側において二枚の弾性クリップ板３０、３０を使用することによって、固定ケース１が扉２７に取付けられる。
【０００７】
一方の弾性クリップ板３０の装着は、固定本体１の軸筒部２の係止溝４１に一対の脚板部３４，３４を差込んで、係止溝４１の後位側の溝壁面４３に圧接させ、弾性クリップ板３０の支点板部４５と先導板部３３，３３を軸筒部２の上下２箇所において扉２７の背面２７ａに圧接させるとともに、先導板部３３，３３の根元部の掛止肩部４６，４６を係止溝４１の端縁部に係合させることによって行われる。
また、他方の弾性クリップ板３０の装着は、固定本体１のロック収容筒部２２の受入れ用筒部４０の係止溝４２に一対の脚板部３４，３４を差込んで、係止溝４２の後位側の溝壁面４３に圧接させ、弾性クリップ板３０の指掛け板部３１の支点板部４５と先導板部３３，３３の支点板部４８，４８を受入れ用筒部４０の上下２箇所において扉２７の背面２７ａに圧接させるとともに、先導板部３３，３３の根元部の掛止肩部４６，４６を係止溝４２の端縁部に係合させることによって行われる。
【０００８】
これら弾性クリップ３０の装着は、支点板部４５に連続形成した指掛け板部３１を摘んで、先導板部３３，３３に誘導されながら、一対の脚板部３４，３４を前記係止溝４１，４２に挿入し、支点板部４５と先導板部３３，３３の各頂点部を扉２７に圧接させるだけで足り、ドライバーなどの回転工具によるビスのねじ込み作業が省略され、固定ケース２の扉２７への取付け作業が簡単に行われる。また、２枚の弾性クリップ板３０，３０が、固定ケース１の背面に突出形成された軸筒部２の係止溝４１，４１と受入れ用筒部４０の係止溝４２，４２に差し込まれるため，固定ケース１は安定かつ的確に扉２７に取付けることができる。
【実施例】
【０００９】
図示した実施例の扉用ロックハンドル装置では、固定ケース１の前後方向の軸筒部２に施錠軸３が嵌挿され、前記施錠軸３の前端部にハンドル４の基端部が横断枢軸５によって連結され、前記施錠軸３の後端部に止め金板８が固着されており、前記施錠軸３と前記ハンドル４の間に、前記ハンドル４が前記固定ケース１に対して没入位置と突出位置の二つの安定状態を交互にとるように付勢するハンドル姿勢保持機構を設けてあり、没入位置にあるとき前記ハンドル４を前記固定ケース１に錠止するロック機構が前記ハンドル４の先端部側に組み込まれている。固定ケース１は台座盤１ｃに一体的に嵌められている。
【００１０】
前記ハンドル４が前記固定ケース１に対して没入位置と突出位置の二つの安定状態を交互にとるように付勢するハンドル姿勢保持機構は、前記横断枢軸５の前後方向中心線上において前記固定ケース１の背面壁部９の前面側に形成され、前記止め金板８の前記固着用ねじ孔６と上下に位置をずらせしてオフセット状に配置されたバネ受入れ凹部１０と、前記バネ受入れ凹部１０に収容され、前記横断枢軸５の前後方向中心線に沿って弾性変形する圧縮コイルバネ１１と、前記バネ受入れ凹部１０の前端部に形成した座盤受入れ凹部１２に収容され、前記横断枢軸５の前後方向中心線に沿って移動可能であり、背面に前記圧縮コイルバネ１１の前端が当接する仲介座盤１３と、
前記ハンドル４の基端部背面であって前記横断枢軸５の前後方向中心線よりも基端側に偏位した位置に形成され、前記仲介座盤１３の前面に当接する入力突出部１４とで構成されている。
【００１１】
没入位置において前記ハンドル４を前記固定ケース１に対して錠止する前記ロック機構は、前記ハンドル４の先端部に前記固定ケースの背面壁部９に向かって突出形成されたロック収容筒部２２と、前記ロック収容筒部２２に回転可能に収容され、前記固定本体１に対する錠止機構を内蔵したロックシリンダ２３と、前記ロック収容筒部２２の先端開口から突出した前記ロックシリンダ２３の後端部に直径方向に横断して固着され、一方の端部２５ａまたは両方の端部２５ａ，２５ｂが前記ロック収容筒部２２の先端面３６に係合するストップタンブラ２５と、前記固定ケース１の側面壁部３７に形成され、前記ハンドル４の没入位置において前記ロックシリンダ２３を錠止位置に回転させたとき、前記ストップタンブラ２５の一方の端部２５ａが係合する錠止受け部２６とで構成されている。
【００１２】
この扉用ロックハンドル装置は電気機収納ボックス等の扉２７に取付けられ、図４に示したように前記ハンドル４が前記固定ケース１内に没入した施錠状態においては、前記止め金板８は前記ボックス本体側に設けたストライクに係合して、前記扉２７を前記ボックス本体に対して開放不能に施錠している。
【００１３】
前記ハンドル４が前記固定ケース１内に没入し、固定ケース１に対して錠止されている状態においては、前記ハンドル４の入力突出部１４は、前記横断枢軸５の前後方向中心線の上側位置において前記仲介座盤１３の前面と当接しているため、圧縮コイルバネ１１の弾性復元力による回転モーメントは、前記横断枢軸５を中心に前記ハンドル４を図４において時計回り方向に回転させる付勢力として働いている。そのため、前記ハンドル４は前記固定ケース１内の没入位置に保持される。
【００１４】
前記横断枢軸５の前後方向中心線よりも上側の位置において前記ハンドル４の基端部前面を操作者が指で押すと、前記ハンドル４は前記時計回り方向の付勢力に打ち勝って、前記横断枢軸５を中心に反時計回り方向に回転を始める。この回転途中で、前記入力突出部１４と前記仲介座盤１３との当接点が、横断枢軸５の前後方向中心線を下側に越えた瞬間に、バネ１１の弾性復元力による回転モーメントは逆転する。
【００１５】
かくして、前記ハンドル４は横断枢軸５を中心に図４において反時計回り方向に回転させられ、ハンドル４の基端背面部２８が固定ケース１の背面壁部９の前面斜面部２９に当接するまで、飛び出し回転させられる。この飛び出し位置において前記ハンドルの主体部分が操作者によって握られ、前記施錠軸３が回されて前記止め金板８が前記ボックス本体側のストライクから離脱し、前記扉２７が解錠される。解錠された扉２７は、前記ハンドル４を手前に引くことによって開放される。
【００１６】
前記施錠軸３は大径部３ａと小径部３ｂとで構成され、前記大径部３ａの後端部外周面に形成された環状溝１５には、前記軸筒部２の内周面に当接するリング状のシール部材１６が収容されている。前記小径部３ｂの根元部外周面には、前記軸筒部２の後端部開口１８の内周面に当接するリング状のシール部材１９が嵌められている。厚板状の止め金板８の前面に形成された角型凹部２０には、前記施錠軸３の小径部３ｂの後端角軸部３５が相対回転不能に嵌合されている。
【００１７】
前記止め金板８の固着用ねじ孔６は前記施錠軸３の中心線上に配置されており、前記バネ受入れ凹部１０の形成基準線である前記横断枢軸５の前後方向中心線は、前記固着用ねじ孔６よりも下側に位置をずらせたオフセット状に配置されている。前記ハンドル４の基端部正面に形成された指押し凹部２１は、前記横断枢軸５の上側に配置され、操作者によって握られる前記ハンドル４の主体部分は、前記横断枢軸５の下側に伸びている。
【００１８】
前記ハンドル４の主体部分の下部には、前記ロック収容筒部２２が背面側に突出している。前記ロック収容筒部２２に回転可能に収容された前記ロックシリンダ２３には、前面側に開口した鍵穴２４から所定の鍵（図示していない）を挿入したとき、前記ロック収容筒部２２に対する前記ロックシリンダ２３の錠止を解除するように設定されたピンタンブラ方式やディスクタンブラ方式あるいはサイドバー方式等といった公知の錠止機構が内蔵されている。前記ロック収容筒部２２の内面には、前記錠止機構を構成するピンタンブラ等の錠止部材が係合する錠止溝３８を９０度間隔に設けてある。
【００１９】
前記ロックシリンダ２３の先端部には、前記ロック収容筒部２２の先端面３６より抜け出た部位に横断方向の溝孔３９が形成されている。前記ロックシリンダ２３の前記ハンドル４への装着は、正面側からロックシリンダ２３を前記ロック収容筒部２２にロックシリンダ２３を挿入した後、前記溝孔３９に板状のストップタンブラ２５を圧入固着することによって行われる。
【図面の簡単な説明】
【００２０】
【図１】本発明の一実施例に係る扉用ロックハンドル装置の施錠状態の正面図である。
【図２】図１の扉用ロックハンドル装置の左側面図であり、扉に取付けた状態を示している。
【図３】図１の扉用ロックハンドル装置の背面図である。
【図４】図１のＡ−Ａ線断面図である。
【図５】図１の扉用ロックハンドル装置に使用したクリップ板の平面図である。
【図６】図５のクリップ板の正面図である。
【図７】図５のクリップ板の右側面図である。
【図８】図１のＢ−Ｂ線断面図である。
【符号の説明】
【００２１】
１    固定ケース
１ａ  固定ケースの背面
２    固定ケースの軸筒部
３    施錠軸
３ａ  施錠軸の大径部
３ｂ  施錠軸の小径部  
４    ハンドル
５    横断枢軸
６    固着用ねじ孔
７    ボルト
８    止め金板
９    固定ケースの背面壁部
１０    バネ受入れ凹部
１１    圧縮コイルバネ
１２    座盤受入れ凹部
１３    仲介座盤
１４    ハンドルの入力突出部
１５    施錠軸の大径部の環状溝
１６    シール部材
１８    軸筒部の後端部開口
１９    シール部材
２０    止め金板の角型凹部
２１    ハンドルの指押し部
２２    ハンドルのロック収容筒部
２３    ロックシリンダ
２４    鍵穴
２５    ストップタンブラ
２５ａ  ストップタンブラの端部
２５ｂ  ストップタンブラの端部
２６    固定ケースの錠止受け部
２７    扉
２７ａ  扉の前面
２７ｂ  扉の背面
２８    ハンドルの基端背面部
２９    固定ケースの背面壁部の前面斜面部
３０    弾性クリップ板
３１    弾性クリップ板の指掛け板部
３２    扉の取付用開口
３３    弾性クリップ板の先導板部
３４    弾性クリップ板の一対の脚板部
３５    施錠軸の後端角軸部
３６    ロック収容筒部先端面
３７    固定ケースの側面壁部
３８    ロック収容筒部の錠止溝
３９    ロック収容筒部の溝孔
４０    ロック収容筒部の受入れ用筒部
４１    軸筒部の係止溝
４２    受入れ筒部の係止溝
４３    軸筒部の係止溝の後位側の溝壁面
４４    受入れ用筒部の係止溝の後位側の溝壁面
４５    弾性クリップ板の支点板部
４６    弾性クリップ板の掛止肩部
４７    固定ケースの前面鍔部
４８    先導板部の支点板部
【図１】
2008133587.tif 000003
【図２】
2008133587.tif 000004
【図３】
2008133587.tif 000005
【図４】
2008133587.tif 000006
【図５】
2008133587.tif 000007
【図６】
2008133587.tif 000008
【図７】
2008133587.tif 000009
【図８】
2008133587.tif 000010